(57)【要約】【課題】  入力される映像信号に対して一水平期間で信号形態が判断でき、クランプ段差等のノイズ成分に対して誤動作を起こさず安定的に信号形態の判定が行えるカラーバースト自動検出装置を提供することを目的とする。【解決手段】  映像信号１０１より同期タイミング信号１０３を取り出してカラーバースト信号の期間をゲートするタイミングパルス信号１０６を生成し、このタイミングパルス信号１０６により限定されるカラーバースト信号の期間内に、カラーバースト信号の立上りエッジによる第一タイミングとカラーバースト信号の立下りエッジによる第二のタイミングで、カウンタ１０７，１０８においてカラーバースト信号のサイクルのカウントアップを行い、カラーバースト判定回路１１４において、これらカウント値を入力として、映像信号に重畳されているカラーバースト信号の有無を判定する。【選択図】          図１
2007074319.tif 000002
【特許請求の範囲】
【請求項１】
入力される映像信号から同期信号タイミング信号を取り出す同期分離回路と、
前記同期分離回路により取り出された同期信号タイミング信号と、基準クロック信号を用いて、カラーバースト信号の期間をゲートするタイミングパルス信号を生成するバーストゲートパルス発生器と、
前記映像信号と前記バーストゲートパルス発生器において生成されたタイミングパルス信号を入力し、前記映像信号内の第一タイミングで、前記バーストゲートパルス期間内に存在するカラーバースト信号のカウントアップを行う第一カウンタと、
前記映像信号と前記バーストゲートパルス発生器において生成されたタイミングパルス信号を入力し、前記第一タイミングとは異なる前記映像信号内の第二タイミングで、前記バーストゲートパルス期間内に存在するカラーバースト信号のカウントアップを行う第二カウンタと、
前記第一カウンタと第二カウンタの動作タイミングを制御する切替制御回路と、
前記第一カウンタと第二カウンタの出力であるカウント値を入力として、前記映像信号に重畳されているカラーバースト信号の有無を判定し、前記入力されている映像信号がコンポジット信号かコンポーネント信号かの判定を行うカラーバースト判定回路
を備えることを特徴とするカラーバースト自動検出装置。
【請求項２】
前記切替制御回路は、前記第一カウンタと前記第二カウンタが同時に動作することなく交互に動作する場合のみ第一カウンタおよび第二カウンタがカウントアップ動作を行えるように切替制御を行うこと
を特徴とする請求項１に記載のカラーバースト自動検出装置。
【請求項３】
前記カラーバースト判定回路は、前記第一カウンタと前記第二カウンタのカウント値が任意のカウント値以上の場合のみ、カラーバースト信号が前記入力される映像信号に重畳されていると判断すること
を特徴とする請求項１または請求項２に記載のカラーバースト自動検出装置。
【請求項４】
前記入力される映像信号の帯域制限を行うバンドパスフィルタと、
前記バンドパスフィルタにより帯域制限された映像信号を増幅して、前記第一カウンタおよび第二カウンタへ出力するアンプ
を備えることを特徴とする請求項１〜請求項３のいずれか１項に記載のカラーバースト自動検出装置。
【請求項５】
前記カラーバースト判定回路に、連続する水平走査内のカラーバースト信号に対して、一水平走査毎に、前記第一カウンタと前記第二カウンタから入力されるカウント値に基づいて、前記第一カウンタと第二カウンタのどちらから先にカウントアップ動作が行われるか検出し、その判定情報を出力する機能を付加し、
前記カラーバースト判定回路より入力される最初の判定情報を二水平走査以上に渡り確認し、前記判定情報が、毎回、同一のカウンタからのものであれば、ＮＴＳＣのコンポジット信号と判定し、前記判定情報が、一水平走査毎に交互に変われば、ＰＡＬのコンポジット信号と判定し、さらにＰＡＬのコンポジット信号と判定した場合、一水平走査毎のカラーバースト信号の位相切替タイミングを検出するカラー方式判定回路を備えること
を特徴とする請求項１〜請求項４のいずれか１項に記載のカラーバースト自動検出装置。
【請求項６】
前記第一カウンタは、カウントアップ動作させる第一タイミングとしてカラーバースト信号の立上りエッジを使用し、
前記第二カウンタは、カウントアップ動作させる第二タイミングとしてカラーバースト信号の立下りエッジを使用すること
を特徴とする請求項１〜請求項５のいずれか１項に記載のカラーバースト自動検出装置。
【請求項７】
前記第一カウンタは、カウントアップ動作させる第のタイミングとしてカラーバースト信号の立下りエッジを使用し、
前記第二カウンタは、カウントアップ動作させる第二タイミングとしてカラーバースト信号の立上りエッジを使用すること
を特徴とする請求項１〜請求項５のいずれか１項に記載のカラーバースト自動検出装置。
【請求項８】
前記第一カウンタは、カウントアップ動作にペデスタルレベルよりも上側のカラーバースト信号を構成する正弦波の立上りエッジを使用し、
前記第二カウンタは、カウントアップ動作にペデスタルレベルよりも下側のカラーバースト信号を構成する正弦波の立下りエッジを使用すること
を特徴とする請求項１〜請求項５のいずれか１項に記載のカラーバースト自動検出装置。
【請求項９】
前記第一カウンタは、カウントアップ動作にペデスタルレベルよりも上側のカラーバースト信号を構成する正弦波の立下りエッジを使用し、
前記第二カウンタは、カウントアップ動作にペデスタルレベルよりも下側のカラーバースト信号を構成する正弦波の立上りエッジを使用すること
を特徴とする請求項１〜請求項５のいずれか１項に記載のカラーバースト自動検出装置。
【請求項１０】
前記第一カウンタおよび第二カウンタは、前記カラーバースト信号の立上りおよび立下りエッジを用いてカウントアップ動作を行うとき、カウント動作を進行するエッジタイミングをペデスタルレベルからの距離を変数として決定すること
を特徴とする請求項８または請求項９に記載のカラーバースト自動検出装置。
【請求項１１】
前記カラーバースト判定回路は、カラーバースト信号の検出を垂直帰線消去期間内でのみ、入力されている映像信号がコンポジット信号かコンポーネント信号かの判定を行い、有効画面期間内では判定を行わないこと
を特徴とする請求項１〜請求項１０のいずれか１項に記載のカラーバースト自動検出装置。
【発明の詳細な説明】
【技術分野】
【０００１】
本発明は、テレビ等の映像信号の受信装置において、入力される映像信号が輝度信号にバースト信号、クロマ信号、同期信号が重畳されたコンポジット信号であるか、輝度信号と同期信号のみでバースト信号、クロマ信号が重畳されていないコンポーネント信号であるかの映像信号の形態を判別するカラーバースト自動検出装置に関するものである。
【背景技術】
【０００２】
映像信号に重畳されているカラーバースト信号の有無を判定する従来のカラーバースト自動検出装置の一例が、特許文献１に信号検出回路として提案されている。この特許文献１に提案されている信号検出回路について、図９を参照しながら説明する。
【０００３】
入力される色信号と基準信号との位相差が９０°を超えると、基準信号の位相を反転させるためのバーストＩＤパルスを出力する回路が設けられている。すなわち、色信号とカラーキャリアの基準信号とカラーバースト信号期間を示すバーストゲートパルスＢＧが供給され、バーストゲートパルスＢＧに従って、色信号に含まれるカラーバースト信号と基準信号とのＩＤ同期検波を行うＩＤ同期検波回路９０１と、ＩＤ同期検波回路９０１の同期検波出力を平滑する平滑コンデンサ９０２と、平滑コンデンサ９０２により平滑されているＩＤ同期検波回路９０１の同期検波出力と基準電圧Ｖ２とをレベル比較し、同期検波出力が基準電圧Ｖ２より小さい期間ハイレベルとなるパルスを出力する（以下、このパルスを負パルスという）比較回路９０３と、比較回路９０３から出力される負パルスおよびバーストゲートパルス信号ＢＧのアンド回路９０４と、アンド回路９０４の出力でセットされ、インバータ回路９０６により位相反転されたバーストゲートパルス信号ＢＧでリセットされ、Ｑ端子より負バーストＩＤパルス（基準信号の位相を反転するが得られるバーストＩＤパルス）が得られるＳＲフリップフロップ回路９０５が設けられている。
【０００４】
また平滑されているＩＤ同期検波回路９０１の同期検波出力と基準電圧Ｖ１とをレベル比較し、同期検波出力が基準電圧Ｖ１より大きい期間ハイレベルとなるパルスを出力する（以下、このパルスを正パルスという）比較回路９０７と、比較回路９０７から出力される正パルスおよびバーストゲートパルス信号ＢＧのアンド回路９０８と、アンド回路９０８の出力でセットされ、インバータ回路９０６により位相反転されたバーストゲートパルス信号ＢＧでリセットされ、Ｑ端子より正バーストＩＤパルスが得られるＳＲフリップフロップ回路９０９が設けられている。
【０００５】
なお、アンド回路９０４，９０５は、インバータ付きのアンド回路であり、インバータ回路９０６により位相反転されたバーストゲートパルス信号ＢＧがさらに反転されて論理積（アンド）がとられている。
【０００６】
またヘッドスイッチングパルスＳＷＰを微分・整流して所定周波数（例えば、６０Ｈｚ）の基準パルスＲＰを出力する微分・整流回路９１２が設けられ、さらに前記負バーストＩＤパルスと基準パルスＲＰのＯＲ回路９１１が設けられている。
【０００７】
そして、このＯＲ回路９１１の出力によりリセットされ、前記正バーストＩＤパルスをカウントする第一カウンタ９１０と、基準パルスＲＰによりリセットされ、第一カウンタ９１０の出力パルスをカウントする第二カウンタ９１３と、この第二カウンタ９１３のカウント出力を、そのリセット直前に基準パルスＲＰによりホールドし、そのホールド値が所定値以上のとき色信号有り、所定値未満のとき色信号無しと判断し、その判定出力信号を出力するホールド回路９１４が設けられている。
【０００８】
このように、正バーストＩＤパルスと負バーストＩＤパルスを生成し、このパルスの連続性と個数を、後段の第一カウンタ９１０、第二カウンタ９１３でカウントし、ホールド回路９１４においてホールドし、そのカウント値を判定することによりカラーバースト信号の有無を判定している。
【０００９】
この方式を用いることにより、入力された映像信号の形態がコンポジット信号であるか、コンポーネント信号であるかを判別することができる。
【特許文献１】特開平１−２５２０９０号公報
【発明の開示】
【発明が解決しようとする課題】
【００１０】
しかしながら、従来の信号検出回路では、ＩＤ同期検波回路９０１においてバーストゲートパルスＢＧの期間内で色信号に対して同期していない基準信号との検波を行うため、色信号に対する基準信号の位相差により、コンデンサ９０２にチャージされる電圧のバラツキの変動幅が大きく、１水平帰線期間内では、入力されている映像信号がコンポジット信号か、コンポーネント信号かの判断はつかないことから、複数の水平帰線期間にわたって検波パルスをカウントする必要がある。
【００１１】
また、ＩＤ同期検波回路９０１以外にも、比較器９０３，９０７、ＳＲフリップフロップ回路９０５，９０９、カウンタ９１０，９１３、ホールド回路９１４が必要であり回路規模は大きい。
【００１２】
また、ＩＤ同期検波回路９０１に入力される基準信号が固定信号であるため、例えば基準信号の周波数が３．５８ＭＨｚの場合は、入力される映像信号はＮＴＳＣである必要があり、逆に基準信号の周波数が４．４３ＭＨｚの場合は、入力される映像信号はＰＡＬである必要があり、マルチの放送を受信する場合には、本方式では対応できない。もし、基準信号が、３．５８ＭＨｚと４．４３ＭＨｚの両方に対応できるようにＩＤ同期検波回路９０１を同期検波方式にすると回路規模はさらに大きくなる。
【００１３】
また、カラーバースト信号が重畳されるタイミングは、コンポジット信号からクロマ復調を行った後、ペデスタルレベルに近いＤＣ電圧にすげかえられる場合が多く、ペデスタルレベルに対してはＤＣオフセットを持っているため、このようなカラーバースト期間にＤＣオフセットを持った輝度信号が前記の信号検出回路に入力されると、ＤＣオフセット部分と基準信号の検波により、定常的にカラーバースト信号が存在するように判断される。
【００１４】
そこで、本発明は、入力される映像信号に対して一水平期間で信号形態が判断でき、基準信号を３．５８ＭＨｚと４．４３ＭＨｚの切替えの必要もなく、クランプ段差等のノイズ成分に対して誤動作を起こさず安定的に信号形態の判定が行えるカラーバースト自動検出装置を提供することを目的としたものである。
【課題を解決するための手段】
【００１５】
前述した目的を達成するために、本発明のカラーバースト自動検出装置は、入力される映像信号から同期信号タイミング信号を取り出す同期分離回路と、前記同期分離回路により取り出された同期信号タイミング信号と、基準クロック信号を用いて、カラーバースト信号の期間をゲートするタイミングパルス信号を生成するバーストゲートパルス発生器と、前記映像信号と前記バーストゲートパルス発生器において生成されたタイミングパルス信号を入力し、前記映像信号内の第一タイミングで、前記バーストゲートパルス期間内に存在するカラーバースト信号のカウントアップを行う第一カウンタと、前記映像信号と前記バーストゲートパルス発生器において生成されたタイミングパルス信号を入力し、前記第一タイミングとは異なる前記映像信号内の第二タイミングで、前記バーストゲートパルス期間内に存在するカラーバースト信号のカウントアップを行う第二カウンタと、前記第一カウンタと第二カウンタの動作タイミングを制御する切替制御回路と、前記第一カウンタと第二カウンタの出力であるカウント値を入力として、前記映像信号に重畳されているカラーバースト信号の有無を判定し、前記入力されている映像信号がコンポジット信号かコンポーネント信号かの判定を行うカラーバースト判定回路を備えることを特徴とする。
【００１６】
また、前記切替制御回路は、前記第一カウンタと前記第二カウンタが同時に動作することなく交互に動作する場合のみ第一カウンタおよび第二カウンタがカウントアップ動作を行えるように切替制御を行うことを特徴とする。
【００１７】
また、前記カラーバースト判定回路は、前記第一カウンタと前記第二カウンタのカウント値が任意のカウント値以上の場合のみ、カラーバースト信号が前記入力される映像信号に重畳されていると判断することを特徴とする。
【００１８】
また、前記入力される映像信号の帯域制限を行うバンドパスフィルタと、前記バンドパスフィルタにより帯域制限された映像信号を増幅して、前記第一カウンタおよび第二カウンタへ出力するアンプを備えることを特徴とする。
【００１９】
また、前記カラーバースト判定回路に、連続する水平走査内のカラーバースト信号に対して、一水平走査毎に、前記第一カウンタと前記第二カウンタから入力されるカウント値に基づいて、前記第一カウンタと第二カウンタのどちらから先にカウントアップ動作が行われるか検出し、その判定情報を出力する機能を付加し、前記カラーバースト判定回路より入力される最初の判定情報を二水平走査以上に渡り確認し、前記判定情報が、毎回、同一のカウンタからのものであれば、ＮＴＳＣのコンポジット信号と判定し、前記判定情報が、一水平走査毎に交互に変われば、ＰＡＬのコンポジット信号と判定し、さらにＰＡＬのコンポジット信号と判定した場合、一水平走査毎のカラーバースト信号の位相切替タイミングを検出するカラー方式判定回路を備えることを特徴とする。
【００２０】
また、前記第一カウンタは、カウントアップ動作させる第一タイミングとしてカラーバ
ースト信号の立上りエッジを使用し、前記第二カウンタは、カウントアップ動作させる第二タイミングとしてカラーバースト信号の立下りエッジを使用することを特徴とする。
【００２１】
また、前記第一カウンタは、カウントアップ動作させる第のタイミングとしてカラーバースト信号の立下りエッジを使用し、前記第二カウンタは、カウントアップ動作させる第二タイミングとしてカラーバースト信号の立上りエッジを使用することを特徴とする。
【００２２】
また、前記第一カウンタは、カウントアップ動作にペデスタルレベルよりも上側のカラーバースト信号を構成する正弦波の立上りエッジを使用し、前記第二カウンタは、カウントアップ動作にペデスタルレベルよりも下側のカラーバースト信号を構成する正弦波の立下りエッジを使用することを特徴とする。
【００２３】
また、前記第一カウンタは、カウントアップ動作にペデスタルレベルよりも上側のカラーバースト信号を構成する正弦波の立下りエッジを使用し、前記第二カウンタは、カウントアップ動作にペデスタルレベルよりも下側のカラーバースト信号を構成する正弦波の立上りエッジを使用することを特徴とする。
【００２４】
また、前記第一カウンタおよび第二カウンタは、前記カラーバースト信号の立上りおよび立下りエッジを用いてカウントアップ動作を行うとき、カウント動作を進行するエッジタイミングをペデスタルレベルからの距離を変数として決定することを特徴とする。
【００２５】
また、前記カラーバースト判定回路は、カラーバースト信号の検出を垂直帰線消去期間内でのみ、入力されている映像信号がコンポジット信号かコンポーネント信号かの判定を行い、有効画面期間内では判定を行わないことを特徴とする。
【発明の効果】
【００２６】
本発明のカラーバースト自動検出装置は、一水平帰線消去期間内で入力されている映像信号がコンポジット信号であるか、コンポーネント信号であるかの判断を行うことができ、またＰＬＬ方式の同期検波系を有することなくカラーバースト信号が３．５８ＭＨｚのＮＴＳＣ信号と４．４３ＭＨｚのＰＡＬ信号に対応でき、検出系の回路規模を小さくすることができる。
【００２７】
また本発明のカラーバースト自動検出装置は、入力されている映像信号がコンポジット信号の場合、ＮＴＳＣであるかＰＡＬであるかの判定を行うことができ、またＰＡＬのコンポジット信号である場合は、連続する一水平走査毎に交互に行われるカラーバースト信号の位相反転のタイミングを検出することができ、さらにクランプ段差や外乱ノイズの影響を受けることなく安定的に入力信号の形態を判定することができる。
【発明を実施するための最良の形態】
【００２８】
以下、本発明の実施の形態を、図面を参照しながら説明する。
［実施の形態１］
図１は本発明の実施の形態１におけるカラーバースト自動検出装置の回路図である。
【００２９】
図１に示すように、カラーバースト自動検出装置は、同期分離回路１０２と、バーストゲートパルス発生器１０５と、第一カウンタ１０７と、第二カウンタ１０８と、切替制御回路１０９と、カラーバースト判定回路１１４を備えている。
【００３０】
同期分離回路１０２は、入力された映像信号１０１より同期信号タイミングを取り出し、その同期信号タイミング信号１０３をバーストゲートパルス発生器１０５へ出力する。
前記バーストゲートパルス発生器１０５は、同期分離回路１０２により取り出された同期信号タイミング信号１０３と、別途供給される基準クロック信号１０４を入力信号とし、カラーバースト信号の期間をゲートするバーストゲートタイミングパルス信号１０６を生成し、第一カウンタ１０７および第二カウンタ１０８へ出力する。
【００３１】
第一カウンタ１０７には、前記映像信号１０１とバーストゲートパルス発生器１０５において生成されたバーストゲートタイミングパルス信号１０６と切替制御回路１０９において生成されたカウンタ制御信号１１１（後述する）が入力されており、第一カウンタ１０７は、映像信号１０１内の第一タイミング（後述する）で、カウンタ制御信号１１１が動作しているとき、バーストゲートタイミングパルス信号１０６により限定されるカラーバースト信号の期間内に、映像信号１０１に存在するカラーバースト信号のカウントアップを行い（カウント動作を行い）、その第一カウンタ出力信号（カウント値）１１２をカラーバースト判定回路１１４へ出力する。
【００３２】
第二カウンタ１０８には、同様に映像信号１０１とバーストゲートパルス発生器１０５において生成されたバーストゲートタイミングパルス信号１０６と切替制御回路１０９において生成されたカウンタ制御信号１１１（後述する）が入力されており、第二カウンタ１０８は、映像信号１０１内の第一タイミングとは異なる第二タイミング（後述する）で、カウンタ制御信号１１１が動作しているとき、バーストゲートタイミングパルス信号１０６により限定されるカラーバースト信号の期間内に、映像信号１０１に存在するカラーバースト信号のカウントアップを行い（カウント動作を行い）、その第二カウンタ出力信号（カウント値）１１３をカラーバースト判定回路１１４へ出力する。
【００３３】
切替制御回路１０９には、カラーバースト判定回路１１４よりカウント更新パルス信号１１０（後述する）が入力されており、切替制御回路１０９は、第一カウンタ１０７と第二カウンタ１０８を制御するためのカウンタ制御信号１１１を出力する。
【００３４】
前記カラーバースト判定回路１１４には、第一カウンタ１０７より出力された第一カウンタ出力信号１１２と第二カウンタ１０８より出力された第二カウンタ出力信号１１３が共に入力されており、カラーバースト判定回路１１４は、予め設定されたコンポジット信号かコンポーネント信号かどうかの判断のしきい値（所定のカウント値；後述する）を超えたかどうかにより、入力された映像信号１０１がコンポジット信号であるかコンポーネント信号であるかの判定をし、その判定出力信号１１５を出力する。また２つのカウンタ出力信号１１２または１１３のカウント値がアップ毎に、カウント更新パルス信号１１０を切替制御回路１０９へ出力する。このように、カラーバースト判定回路１１４は、一水平帰線消去期間内で入力されている映像信号１０１がコンポジット信号であるか、コンポーネント信号であるかの判断を行う。
「第一タイミング、第二タイミング」
上記第一タイミング（第一カウンタ１０７のカウントアップ動作のタイミング）と、第二タイミング（第二カウンタ１０８のカウントアップ動作のタイミング）の内容について、図２を用いて説明する。
【００３５】
図２はコンポジット信号の水平帰線消去期間である。同期信号２０１のバックポーチ部分にはカラーバースト信号２０２が重畳されている。カラーバースト信号は、ＰＡＬでは４．４３ＭＨｚ、ＮＴＳＣでは３．５８ＭＨｚの単一キャリアの正弦波で構成されている。そこで、この正弦波の立上りエッジ２０３を前記の第一タイミング、また立下りエッジ２０４を前記の第二タイミングとしている。なお、第一タイミングをカラーバースト信号の立上りエッジ、第二タイミングを立下りエッジとしたが、この逆の設定であっても問題はない。
【００３６】
このように、第一タイミングと第二タイミングを、正弦波の立上りエッジ２０３と立下りエッジ２０４とすることにより、第一カウンタ１０７と第二カウンタ１０８を連続で交互に動作させる。例えば、ＰＡＬ信号では、一つのカラーバースト信号は連続の正弦波で１０±１サイクルで構成されているため、一つのカラーバースト信号では、第一カウンタ１０７、第二カウンタ１０８のそれぞれのカウント値は１０±１となる。
【００３７】
そこで、ＰＡＬ信号のとき、カラーバースト判定回路１１３は、第一カウンタ１０７、第二カウンタ１０８の出力カウント値を合算して、コンポジット信号かコンポーネント信号かどうかを判断するとすれば、その上記しきい値（任意のカウント値）を、１以上で２０以下の整数にする。
「切替制御回路１０９」
切替制御回路１０９は、例えば図３で示すような簡単なＤフリップフロップからなる１／２分周器で構成することができる。図３において、クロック入力として、カラーバースト判定回路１１４より出力されるカウント更新パルス信号１１０を入力し、カウント更新パルス信号１１０が入力されるたびにＱの反転出力は、Ｄ入力に入力される。よって、Ｑ出力であるカウンタ制御信号１１１は、カウント更新パルス１１０が入力される毎にＬｏｗレベルとＨｉｇｈレベルを繰り返すことになる。よって、例えば、カウンタ制御信号１１１がＬｏｗレベル時には、第一カウンタ１０７を動作可能とし、Ｈｉｇｈレベル時には第二カウンタ１０８を動作可能と設定する。これにより、第一カウンタ１０７と第二カウンタ１０８が同時に動作することなく、交互に動作するように制御される。
【００３８】
このように、カウンタ制御信号１１１を用いて第一カウンタ１０７と第二カウンタ１０８が同時に動作することなく交互に動作するように制御することにより、カラーバースト信号に外乱ノイズが重畳された場合にも、第一カウンタ１０７、第二カウンタ１０８のカウントアップ動作がノイズでランダムに行われることを防ぎ（誤作動を防止し）、カラーバースト信号を構成する正弦波の軌道を用いて安定的にカウントアップ動作を行うことができる。このことを図４を用いて説明する。
【００３９】
図４にはカラーバースト信号に外乱ノイズが重畳されたコンポジット信号を示す。４０１は通常にカウントするべき立上りエッジであり、第一カウンタ１０７を正常にカウントアップさせる。立上りエッジ４０１の次に、外乱ノイズにより発生した立上りエッジ４０２が入力しても、切替制御回路１０９により、次は立下りエッジしかカウント動作が実行されないので、第一カウンタ１０７のカウントアップ動作は行われない。次に、外乱ノイズにより発生した立下りエッジ４０３で、第二カウンタ１０８は正常にカウントアップ動作を行う。そのため、正規の立下りタイミング４０４が次に連続してきても第二カウンタ１０８のカウントアップは切替制御回路１０９の指示により動作しない。しかし、立下りエッジ４０３，４０４でカウントアップは一つだけ進むので立下りカウントに関しても問題はない。
【００４０】
以上のように、一水平帰線消去期間内のカラーバースト信号のサイクル数を、第一カウンタ１０７と第二カウンタ１０８によりカウントし、カラーバースト判定回路１１４において、これらカウント値を前記しきい値により判断することにより、一水平帰線消去期間内で入力されている映像信号がコンポジット信号であるか、コンポーネント信号であるかの判断を行うことができ、一水平期間で信号形態を判断できる。
【００４１】
また同期分離回路１０２により、入力された映像信号１０１より同期信号タイミングを取り出すことにより、ＰＬＬ方式の同期検波系を有することなく、また基準クロック信号１０４を３．５８ＭＨｚと４．４３ＭＨｚの切替えの必要もなく、カラーバースト信号が３．５８ＭＨｚのＮＴＳＣ信号と４．４３ＭＨｚのＰＡＬ信号に対応でき、検出系の回路規模を小さくすることができる。
【００４２】
また、カウンタ制御信号１１１を用いて第一カウンタ１０７と第二カウンタ１０８が同時に動作することなく交互に動作するように制御することにより、クランプ段差や外乱ノイズの影響を受けることなく安定的に入力信号の形態を判定することができる。
［実施の形態２］
図５は本発明の実施の形態２におけるカラーバースト自動検出装置の回路図である。なお、実施の形態１と同一の構成には同一の符号を付して説明を省略する。
【００４３】
図５に示すように、実施の形態２では、カラーバースト自動検出装置は、同期分離回路１０２と、バーストゲートパルス発生器１０５と、第一カウンタ１０７と、第二カウンタ１０８と、切替制御回路１０９と、カラーバースト判定回路１１４に加えて、新たに第一カウンタ１０７および第二カウンタ１０８の前段に、入力される映像信号１０１の帯域制限を行い、単一キャリアのカラーバースト信号のみをフィルタリングするバンドパスフィルタ５０１と、バンドパスフィルタ５０１により出力されるカラーバースト信号を増幅して、第一カウンタ１０７および第二カウンタ１０８へ出力するリミッタアンプ５０２を備えている。
【００４４】
この構成により、入力される映像信号１０１にカラーバースト信号が重畳されているバーストゲートパルス期間内において、第一カウンタ１０７と第二カウンタ１０８でカウント動作を行う前に、バンドパスフィルタ５０１を用いて単一キャリアのカラーバースト信号の帯域制限を行い、その出力信号をリミッタアンプ５０２により高レベルでアンプすることにより、第一カウンタ１０７および第二カウンタ１０８をカウントアップ動作させる立上りエッジと立下りエッジが強調される。したがって、第一カウンタ１０７および第二カウンタ１０８において、強調されたエッジタイミングを用いてカラーバースト信号のエッジタイミングのみを安定的に抽出でき、このエッジタイミングを用いて安定的にカウントアップ動作を行うことができる。
［実施の形態３］
コンポジット信号を入力している場合、連続する水平走査内のカラーバースト信号に対して、一水平走査毎で第一カウンタ１０７と第二カウンタ１０８のどちらからカウントアップ動作が行われるかを検出することにより、入力されている映像信号がＮＴＳＣのコンポジット信号であるか、ＰＡＬのコンポジット信号であるかを検出することができる。
【００４５】
本発明の実施の形態３として、本検出機能を内蔵したカラーバースト自動検出装置の回路図を図６に示す。なお、実施の形態２と同一の構成には同一の符号を付して説明を省略する。
【００４６】
図６に示すように、実施の形態３では、カラーバースト自動検出装置は、同期分離回路１０２と、バーストゲートパルス発生器１０５と、第一カウンタ１０７と、第二カウンタ１０８と、切替制御回路１０９と、カラーバースト判定回路１１４と、バンドパスフィルタ５０１と、リミッタアンプ５０２に加えて、新たにカラー方式判定回路６０２を備え、同期信号タイミング信号１０３をカラーバースト判定回路１１４へ入力している。
【００４７】
カラーバースト判定回路１１４には、同期信号タイミング信号１０３を入力後、第一カウンタ出力信号１１２もしくは第二カウンタ出力信号１１３のどちらが先に入力されたかを判定し、すなわち映像信号１０１としてコンポジット信号を入力している場合、連続する水平走査内のカラーバースト信号に対して、一水平走査毎に、第一カウンタ１０７と第二カウンタ１０８から入力されるカウント値に基づいて、第一カウンタ１０７と第二カウンタ１０８のどちらから先にカウントアップ動作が行われるか検出し、その判定情報（判定信号）６０１をカラー方式判定回路９０２へ出力する機能が付加されている。
【００４８】
またＮＴＳＣであれば、毎回、判定情報６０１が同一のカウンタからのものとなり、ＰＡＬであれば、一水平走査毎にカウンタ出力は交互に変わることから、カラー方式判定回路６０２は、カラーバースト判定回路１１４より入力される判定情報６０１を二水平走査以上に渡り確認し、判定情報６０１が、毎回、同一のカウンタからのものであれば、ＮＴＳＣのコンポジット信号と判定し、判定情報６０１が、一水平走査毎に交互に変われば、ＰＡＬのコンポジット信号と判定し、ＰＡＬであるかＮＴＳＣであるかのカラー判定出力信号６０３を出力し、さらにＰＡＬのコンポジット信号と判定した場合、一水平走査毎のカラーバースト信号の位相切替タイミングを検出する。
【００４９】
このように、一水平走査毎に、第一カウンタ出力信号１１２もしくは第二カウンタ出力信号１１３のどちらが先に入力されたかを判定し、この判定情報に基づいて、入力された映像信号１０１がコンポジット信号であった場合に、その信号がＰＡＬであるかＮＴＳＣであるかの判定を行うことができる。さらに入力された映像信号１０１がＰＡＬのコンポジット信号である場合は、一水平走査毎にカウンタ出力は交互に変わるため、一水平走査毎のカラーバースト信号の位相切替タイミングまでを同時に検出することができる。
［他の実施の形態］
上記実施の形態１〜３において、上述したように、第一カウンタ１０７と第二カウンタ１０８は、正弦波（カラーバースト信号）の立上りエッジ２０３と立下りエッジ２０４によりカウントアップ動作をしているが、このようなカウントアップ動作として、他の方法が考えられる。
【００５０】
（Ａ）まず、図７に示す方法が考えられる。図７のカラーバースト信号において、ペデスタルレベルより上側の立上りエッジ７０１を第一のタイミングとし、ペデスタルレベルよりも下側の立下りエッジ７０２を第二のタイミングとする。
【００５１】
本方式を用いれば、カラーバースト信号の単一キャリアとしての正弦波特性を確認する形でカウントアップ動作が行われるため、外乱ノイズ、クランプキズ等の影響を受けることなくより安定的にカラーバースト検出を行うことができる。
【００５２】
この方式では、ペデスタルレベルよりも上側の立上りエッジを第一のタイミング、ペデスタルレベルよりも下側の立下りエッジを第二のタイミングとしたが、この逆の設定であっても問題はない。
【００５３】
（Ｂ）図７に破線で示す、ペデスタルレベルよりも上側の立上りエッジのしきい値７０３を超えることによりカウントアップ動作を行い、ペデスタルレベルよりも下側の立下りエッジのしきい値７０４より下まわることによりカウントアップ動作を行う。
【００５４】
またしきい値７０３，７０４は、ペデスタルレベルからの距離は可変とする。このように、ペデスタルレベルよりも上側の立上りエッジのしきい値７０３と、ペデスタルレベルよりも下側の立下りエッジのしきい値７０４をペデスタルレベルからの距離として可変することにより、ペデスタルレベル近傍のノイズ成分によるカウントアップの誤作動を防止することができる。例えば、図８に示すように映像信号処理の過程でＹ／Ｃ分離や、バースト除去が行われた輝度信号には、図８の８０１に示すようなクランプ傷やカラーバースト信号を抜き取って挿げ替えＤＣを挿入した場合の傷が残っている場合がある。この場合、クランプ傷やＤＣ挿げ替え時にできたスパイクノイズでカウントアップの誤作動が行われる可能性があるが、本来カラーバースト信号とクロマ信号が除去された信号は、コンポーネント信号として判定する必要がある。そこで、カラーバースト検出装置の前段で、フィルタリング処理を行い、カウントアップの誤作動となる要因のスパイクノイズを除去しておく方法もあるが、カウントアップを進めるための取り込みしきい値７０３，７０４をペデスタルレベルからの変数として扱うことにより、ペデスタル近傍のノイズによるカウントアップ動作の誤作動を防止することができる。
【００５５】
また上記実施の形態１〜３において、カラーバースト判定回路１１４において、カラーバースト信号の検出を垂直帰線消去期間内でのみ、入力されている映像信号１０１がコンポジット信号かコンポーネント信号かの判定を行い、有効画面期間内では判定を行わないようにすれば、カラーバースト判定回路１１４から出力される判定出力信号１１５の切り替えノイズが有効画面に映らないようにすることができる。
【００５６】
また上記実施の形態１〜３において、本発明のカラーバースト自動検出装置にＳＥＣＡＭのコンポジット信号が入力された場合は、水平同期信号のバックポーチに重畳されたクロマサブキャリアをＰＡＬのカラーバースト信号と誤判別する可能性が考えられるが、ＳＥＣＡＭ信号には垂直帰線消去期間に色判別信号が重畳されており、これを別途検出することによりＰＡＬのコンポジット信号が入力されていると誤判別することを防止できる。
【産業上の利用可能性】
【００５７】
本発明にかかるカラーバースト自動検出装置は、入力される映像信号がコンポジット信号であるか、コンポーネント信号であるかを判断するシステムとして有用である。
【図面の簡単な説明】
【００５８】
【図１】本発明の実施の形態１におけるカラーバースト自動検出装置の回路図である。
【図２】同カラーバースト自動検出装置の水平帰線消去期間におけるコンポジット信号の特性図である。
【図３】同カラーバースト自動検出装置の切替制御回路の構成図である。
【図４】同カラーバースト自動検出装置のコンポジット信号内のカラーバーストに外乱ノイズが重畳された特性図である。
【図５】本発明の実施の形態２におけるカラーバースト自動検出装置の回路図である。
【図６】本発明の実施の形態３におけるカラーバースト自動検出装置の回路図である。
【図７】他の実施の形態におけるカラーバースト自動検出装置のカラーバースト信号におけるカウントアップ動作を行うタイミングを示す図である。
【図８】同カラーバースト自動検出装置のクランプ傷が残ったコンポーネント輝度信号の特性図である。
【図９】従来のカラーバースト自動検出装置の回路図である。
【符号の説明】
【００５９】
１０１  入力映像信号
１０２  同期分離回路
１０３  同期信号タイミング信号
１０４  基準クロック信号
１０５  バーストゲートパルス発生器
１０６  バーストゲートタイミングパルス信号
１０７  第一カウンタ
１０８  第二カウンタ
１０９  切替制御回路
１１０  カウント更新パルス信号
１１１  カウンタ制御信号
１１２  第一カウンタ出力信号
１１３  第二カウンタ出力信号
１１４  カラーバースト判定回路
１１５  判定出力信号
２０１  同期信号
２０２  カラーバースト信号
２０３  正弦波の立上りエッジ
２０４  正弦波の立下りエッジ
４０１  通常にカウントするべき立上りエッジ
４０２  外乱ノイズで作られた立上りエッジ
４０３  外乱ノイズで作られた立下りエッジ
４０４  正規の立下りエッジ
５０１  バンドパスフィルタ
５０２  リミッタアンプ
６０１  判定信号
６０２  カラー方式判定回路
６０３  カラー判定出力信号
７０１  ペデスタルレベルより上側の立上りエッジ
７０２  ペデスタルレベルより下側の立下りエッジ
７０３  ペデスタルレベルより上側のカウントアップを進めるための取り込みしきい値
７０４  ペデスタルレベルより下側のカウントアップを進めるための取り込みしきい値
８０１  クランプ傷とカラーバースト信号を抜き取ってＤＣ挿げ替えを行ったときの傷
【図１】
2007074319.tif 000003
【図２】
2007074319.tif 000004
【図３】
2007074319.tif 000005
【図４】
2007074319.tif 000006
【図５】
2007074319.tif 000007
【図６】
2007074319.tif 000008
【図７】
2007074319.tif 000009
【図８】
2007074319.tif 000010
【図９】
2007074319.tif 000011